【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
発駅と着駅を指示する指示手段、この指示手段により指示された発駅と着駅までの区間の定期乗車とを許可する所定の定期券を発行する発行手段及び通信制御手段とから構成されている定期券発行装置と、この定期券発行装置の通信制御手段に対して通信回線を介して接続されるセンター装置とから構成されている定期券発行システムにおいて、
予め、前記定期券発行装置を特殊券発行モードに設定する特殊券発行モード設定手段と、
前記特殊券発行モード設定手段による特殊券発行モードの設定に応じて、予め前記センター装置側で作成される発行すべき特殊券に応じた所定のフォーマットデータが前記定期券発行装置側にダウンラインされることにより、特殊券発行のための特殊券発行情報設定画面を表示する特殊券発行情報設定画面表示手段と、
前記特殊券発行情報設定画面表示手段によって表示される特殊券発行情報設定画面に基づいて、発行すべき特殊券に応じた特殊券発行情報を設定する特殊券発行情報設定手段と、
前記特殊券発行情報設定手段による発行すべき特殊券に応じた特殊券発行情報の設定後に、その特殊券を発行する特殊券発行手段と、
前記特殊券発行手段による特殊券発行後に、前記特殊券発行モード設定手段による特殊券発行に関する所定の管理データを前記通信制御手段から前記通信回線を介して前記センター装置側に転送する管理データ制御手段と、
前記特殊券発行手段による特殊券発行後に、前記特殊券発行モード設定手段による特殊券発行モードを終了して前記定期券発行装置による前記所定の定期券を発行可能とする特殊券発行モード終了手段と
を具備することを特徴とする定期券発行システム。
【請求項２】
発駅と着駅を指示する指示手段、この指示手段により指示された発駅と着駅までの区間の定期乗車とを許可する所定の定期券を発行する発行手段及び通信制御手段とから構成されている定期券発行装置と、この定期券発行装置の通信制御手段に対して通信回線を介して接続されるセンター装置とから構成されている定期券発行システムにおいて、
予め、前記定期券発行装置を特殊券発行モードに設定する特殊券発行モード設定手段と、
前記特殊券発行モード設定手段による特殊券発行モードの設定に応じて、予め前記センター装置側で作成される発行すべき特殊券に応じた料金計算パラメータを含む所定のフォーマットデータが前記定期券発行装置側にダウンラインされることにより、特殊券発行のための特殊券発行情報設定画面を表示する特殊券発行情報設定画面表示手段と、
前記特殊券発行情報設定画面表示手段によって表示される特殊券発行情報設定画面に基づいて、発行すべき特殊券に応じた特殊券発行情報を設定する特殊券発行情報設定手段と、
前記特殊券発行情報設定手段による発行すべき特殊券に応じた特殊券発行情報の設定後に、その特殊券の料金を前記センター装置側からダウンラインされる発行すべき特殊券に応じた料金計算パラメータに基づいて計算する特殊券料金計算手段と、
前記特殊券発行情報設定手段による発行すべき特殊券に応じた特殊券発行情報の設定及び前記特殊券料金計算手段による発行すべき特殊券に応じた料金計算後に、その特殊券を発行する特殊券発行手段と、
前記特殊券発行手段による特殊券発行後に、前記特殊券発行モード設定手段による特殊券発行に関する所定の管理データを前記通信制御手段から前記通信回線を介して前記センター装置側に転送する管理データ制御手段と、
前記特殊券発行手段による特殊券発行後に、前記特殊券発行モード設定手段による特殊券発行モードを終了して前記定期券発行装置による前記所定の定期券を発行可能とする特殊券発行モード終了手段と
を具備することを特徴とする定期券発行システム。
【請求項３】
発駅と着駅を指示する指示手段、この指示手段により指示された発駅と着駅までの区間の定期乗車とを許可する所定の定期券を発行する発行手段及び通信制御手段とから構成されている定期券発行装置と、この定期券発行装置の通信制御手段に対して通信回線を介して接続されるセンター装置とから構成されている定期券発行システムにおいて、
予め、前記定期券発行装置を特殊券発行モードに設定する特殊券発行モード設定手段と、
前記特殊券発行モード設定手段による特殊券発行モードの設定に応じて、予め前記センター装置側で作成される発行すべき特殊券に応じた料金計算パラメータを含む所定のフォーマットデータが前記定期券発行装置側にダウンラインされることにより、特殊券発行のための特殊券発行情報設定画面を表示する特殊券発行情報設定画面表示手段と、
前記特殊券発行情報設定画面表示手段によって表示される特殊券発行情報設定画面に基づいて、発行すべき特殊券に応じた特殊券発行情報を設定する特殊券発行情報設定手段と、
前記特殊券発行情報設定手段による発行すべき特殊券に応じた特殊券発行情報の設定後に、その特殊券の料金を前記センター装置側からダウンラインされる発行すべき特殊券に応じた料金計算パラメータ及び前記定期券発行装置側に備えられる特殊券発行のための料金計算式パラメータとしての固定値とに基づいて計算する特殊券料金計算手段と、
前記特殊券発行情報設定手段による発行すべき特殊券に応じた特殊券発行情報の設定及び前記特殊券料金計算手段による発行すべき特殊券に応じた料金計算後に、その特殊券を発行する特殊券発行手段と、
前記特殊券発行手段による特殊券発行後に、前記特殊券発行モード設定手段による特殊券発行に関する所定の管理データを前記通信制御手段から前記通信回線を介して前記センター装置側に転送する管理データ制御手段と、
前記特殊券発行手段による特殊券発行後に、前記特殊券発行モード設定手段による特殊券発行モードを終了して前記定期券発行装置による前記所定の定期券を発行可能とする特殊券発行モード終了手段と
を具備することを特徴とする定期券発行システム。
【請求項４】
発駅と着駅を指示する指示手段、この指示手段により指示された発駅と着駅までの区間の定期乗車とを許可する所定の定期券を発行する発行手段及び通信制御手段とから構成されている定期券発行装置と、この定期券発行装置の通信制御手段に対して通信回線を介して接続されるセンター装置とから構成されている定期券発行システムにおいて、
予め、前記定期券発行装置を特殊券発行モードに設定する特殊券発行モード設定手段と、
前記特殊券発行モード設定手段による特殊券発行モードの設定に応じて、予めセンター装置側で作成される発行すべき特殊券に応じた料金計算パラメータを含む所定のフォーマットデータが前記定期券発行装置側にダウンラインされることにより、特殊券発行のための特殊券発行情報設定画面を表示する特殊券発行情報設定画面表示手段と、
前記特殊券発行情報設定画面表示手段によって表示される特殊券発行情報設定画面に基づいて、発行すべき特殊券に応じた特殊券発行情報を設定する特殊券発行情報設定手段と、
前記特殊券発行情報設定手段による発行すべき特殊券に応じた特殊券発行情報の設定後に、その特殊券の料金を前記センター装置側からダウンラインされる発行すべき特殊券に応じた料金計算パラメータに基づいて計算する特殊券料金計算手段と、
前記特殊券料金計算手段による発行すべき特殊券に応じた料金計算後に、その特殊券の料金を確認する特殊券料金確認手段と、
前記特殊券発行情報設定手段による発行すべき特殊券に応じた特殊券発行情報の設定及び前記特殊券料金確認手段による発行すべき特殊券に応じた料金の確認後に、その特殊券を発行する特殊券発行手段と、
前記特殊券発行手段による特殊券発行後に、前記特殊券発行モード設定手段による特殊券発行に関する所定の管理データを前記通信制御手段から前記通信回線を介して前記センター装置側に転送する管理データ制御手段と、
前記特殊券発行手段による特殊券発行後に、前記特殊券発行モード設定手段による特殊券発行モードを終了して前記定期券発行装置による前記所定の定期券を発行可能とする特殊券発行モード終了手段と
を具備することを特徴とする定期券発行システム。
【請求項５】
発駅と着駅を指示する指示手段、この指示手段により指示された発駅と着駅までの区間の定期乗車とを許可する所定の定期券を発行する発行手段及び通信制御手段とから構成されている定期券発行装置と、この定期券発行装置の通信制御手段に対して通信回線を介して接続されるセンター装置とから構成されている定期券発行システムにおいて、
予め、前記定期券発行装置を特殊券発行モードに設定する特殊券発行モード設定手段と、
前記特殊券発行モード設定手段による特殊券発行モードの設定に応じて、予め前記センター装置側で作成される発行すべき特殊券に応じた料金計算パラメータを含む所定のフォーマットデータが前記定期券発行装置側にダウンラインされることにより、特殊券発行のための特殊券発行情報設定画面を表示する特殊券発行情報設定画面表示手段と、
前記特殊券発行情報設定画面表示手段によって表示される特殊券発行情報設定画面に基づいて、発行すべき特殊券に応じた特殊券発行情報を設定する特殊券発行情報設定手段と、
前記特殊券発行情報設定手段による発行すべき特殊券に応じた特殊券発行情報の設定後に、その特殊券の料金を前記センター装置側からダウンラインされる発行すべき特殊券に応じた料金計算パラメータ及び前記定期券発行装置側に備えられる特殊券発行のための料金計算式パラメータとしての固定値とに基づいて計算する特殊券料金計算手段と、
前記特殊券料金計算手段による発行すべき特殊券に応じた料金計算後に、その特殊券の料金を確認する特殊券料金確認手段と、
前記特殊券発行情報設定手段による発行すべき特殊券に応じた特殊券発行情報の設定及び前記特殊券料金確認手段による発行すべき特殊券に応じた料金の確認後に、その特殊券を発行する特殊券発行手段と、
前記特殊券発行手段による特殊券発行後に、前記特殊券発行モード設定手段による特殊券発行に関する所定の管理データを前記通信制御手段から前記通信回線を介して前記センター装置側に転送する管理データ制御手段と、
前記特殊券発行手段による特殊券発行後に、前記特殊券発行モード設定手段による特殊券発行モードを終了して前記定期券発行装置による前記所定の定期券を発行可能とする特殊券発行モード終了手段と
を具備することを特徴とする定期券発行システム。
【請求項６】
発駅と着駅を指示する指示手段、この指示手段により指示された発駅と着駅までの区間の定期乗車とを許可する所定の定期券を発行する発行手段及び通信制御手段とから構成されている定期券発行装置と、この定期券発行装置の通信制御手段に対して通信回線を介して接続されるセンター装置とから構成されている定期券発行システムにおいて、
予め、前記定期券発行装置を特殊券発行モードに設定する特殊券発行モード設定手段と、
前記特殊券発行モード設定手段による特殊券発行モードの設定に応じて、予め前記センター装置側で作成される発行すべき特殊券に応じた管理番号と料金計算パラメータとを含む所定のフォーマットデータが前記定期券発行装置側にダウンラインされることにより、特殊券発行のための特殊券発行情報設定画面を表示する特殊券発行情報設定画面表示手段と、
前記特殊券発行情報設定画面表示手段によって表示される特殊券発行情報設定画面に基づいて、発行すべき特殊券に応じた特殊券発行情報を設定する特殊券発行情報設定手段と、
前記特殊券発行情報設定手段による発行すべき特殊券に応じた特殊券発行情報の設定後に、その特殊券の料金を前記センター装置側からダウンラインされる発行すべき特殊券に応じた料金計算パラメータに基づいて計算する特殊券料金計算手段と、
前記特殊券発行情報設定手段による発行すべき特殊券に応じた特殊券発行情報の設定及び前記特殊券料金計算手段による発行すべき特殊券に応じた料金計算後に、その特殊券を発行する特殊券発行手段と、
前記特殊券発行手段による特殊券発行後に、前記特殊券発行モード設定手段による特殊券発行に関する前記管理番号に対応した発行すべき特殊券に応じた料金を含む所定の管理データを前記通信制御手段から前記通信回線を介して前記センター装置側に転送する管理データ制御手段と、
前記特殊券発行手段による特殊券発行後に、前記センター装置側で前記定期券発行装置から転送される前記管理番号に対応した発行すべき特殊券の料金に応じた売り上げ料金を吸い上げて集計処理を実行する売り上げ料金集計処理手段と、
前記特殊券発行手段による特殊券発行後に、前記特殊券発行モード設定手段による特殊券発行モードを終了して前記定期券発行装置による前記所定の定期券を発行可能とする特殊券発行モード終了手段と
を具備することを特徴とする定期券発行システム。
【請求項７】
発駅と着駅を指示する指示手段、この指示手段により指示された発駅と着駅までの区間の定期乗車とを許可する所定の定期券を発行する発行手段及び通信制御手段とから構成されている定期券発行装置と、この定期券発行装置の通信制御手段に対して通信回線を介して接続されるセンター装置とから構成されている定期券発行システムにおいて、
予め、前記定期券発行装置を特殊券発行モードに設定するステップと、
前記特殊券発行モードの設定に応じて、予め前記センター装置側で作成される発行すべき特殊券に応じた所定のフォーマットデータが前記定期券発行装置側にダウンラインされることにより、特殊券発行のための特殊券発行情報設定画面を表示するステップと、
前記表示される特殊券発行情報設定画面に基づいて、発行すべき特殊券に応じた特殊券発行情報を設定するステップと、
前記発行すべき特殊券に応じた特殊券発行情報の設定後に、その特殊券を発行するステップと、
前記特殊券発行後に、前記特殊券発行に関する所定の管理データを前記通信制御手段から前記通信回線を介して前記センター装置側に転送するステップと、
前記特殊券発行後に、前記特殊券発行モードを終了して前記定期券発行装置による前記所定の定期券を発行可能とするステップと
を具備することを特徴とする定期券発行システムの制御方法。
【請求項８】
発駅と着駅を指示する指示手段、この指示手段により指示された発駅と着駅までの区間の定期乗車とを許可する所定の定期券を発行する発行手段及び通信制御手段とから構成されている定期券発行装置と、この定期券発行装置の通信制御手段に対して通信回線を介して接続されるセンター装置とから構成されている定期券発行システムにおいて、
予め、前記定期券発行装置を特殊券発行モードに設定するステップと、
前記特殊券発行モードの設定に応じて、予め前記センター装置側で作成される発行すべき特殊券に応じた料金計算パラメータを含む所定のフォーマットデータが前記定期券発行装置側にダウンラインされることにより、特殊券発行のための特殊券発行情報設定画面を表示するステップと、
前記表示される特殊券発行情報設定画面に基づいて、発行すべき特殊券に応じた特殊券発行情報を設定するステップと、
前記発行すべき特殊券に応じた特殊券発行情報の設定後に、その特殊券の料金を前記センター装置側からダウンラインされる発行すべき特殊券に応じた料金計算パラメータに基づいて計算するステップと、
前記発行すべき特殊券に応じた特殊券発行情報の設定及び前記発行すべき特殊券に応じた料金計算後に、その特殊券を発行するステップと、
前記特殊券発行後に、前記特殊券発行に関する所定の管理データを前記通信制御手段から前記通信回線を介して前記センター装置側に転送するステップと、
前記特殊券発行後に、前記特殊券発行モードを終了して前記定期券発行装置による前記所定の定期券を発行可能とするステップと
を具備することを特徴とする定期券発行システムの制御方法。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】